(57)【要約】【課題】電源オフ状態の場合であっても、ユーザにこの情報を迅速に表示することができる携帯電子機器を提供する。【解決手段】携帯電子機器が電源オフ状態である場合にも、機器のバッテリステータスおよび／または他のパラメータを迅速にかつ有効に表示するシステムおよび方法を提供する。電源オフ状態に応じて複数のユーザ定義可能設定を格納することにより、電源オフ状態で携帯電子機器のパラメータを表示する。パーソナル電子機器の動作ロジックを電源オフ状態で維持しながら、ステータス入力の起動を検出し、それに応じてディスプレイに電源を投入し、格納されたパラメータのステータスをディスプレイに表示する。   【選択図】図３
2004326778.tif 000002
【特許請求の範囲】
【請求項１】
電源オフ状態において携帯電子機器の現バッテリ電力ステータスを表示する方法であって、
先に測定され保存されたバッテリ電力ステータスを検索することと、
該検索されたバッテリ電力ステータスが測定されるかまたは保存されてからの時間経過の近似値を求めることと、
前記電源オフ状態以来の前記バッテリ電力レベルの減衰の量であって、前記確定された時間経過の近似値によって決まる減衰の量を求めることと、
前記検索されたバッテリ電力ステータスと前記確定された減衰とによって決まる現バッテリ電力ステータスを求めることと、
該バッテリ電力ステータスを表示することと、
を含む方法。
【請求項２】
時間経過の近似値を求めることは、現在時刻値を検索すること、それを、電源オフ状態が発生した時と実質的に相応する時刻における時刻値と比較すること、とを含む、請求項１に記載の方法。
【請求項３】
減衰の量を求めることは、バッテリ依存ルックアップテーブルから減衰情報を取得することを含む、請求項１に記載の方法。
【請求項４】
減衰の量を求めることは、前記検索されたバッテリ電力ステータスと前記時間経過の近似値とをともに使用して、前記バッテリ依存ルックアップテーブルの適当な位置から減衰情報を取得することをさらに含む、請求項３に記載の方法。
【請求項５】
減衰の量を求めることは、自然バッテリ減衰の確定と、電源オフ状態にある前記携帯電子機器からの電力引出しからもたらされる減衰の確定と、をともに含む、請求項３に記載の方法。
【請求項６】
減衰の量を求めることは、数式を介して該減衰の量を計算することを含む、請求項１に記載の方法。
【請求項７】
前記減衰の量を計算することは、前記検索されたバッテリ電力ステータスと前記計算における前記時間経過の近似値とをともに使用して該減衰の量を計算することを含む、請求項６に記載の方法。
【請求項８】
前記現バッテリ電力ステータスを表示することは、前記携帯電子機器の他の動作ロジックコンポーネントを電源オフ状態に維持しながら、ディスプレイおよび一定のディスプレイ制御ロジックとに対して電源を投入することを含む、請求項１に記載の方法。
【請求項９】
前記現バッテリ電力ステータスを求めることは、前記検索されたバッテリ電力ステータスから前記確定された減衰を減じることを含む、請求項１に記載の方法。
【請求項１０】
携帯電子機器の電源オフ状態において現バッテリ電力ステータスを表示する装置であって、
先に測定され格納されたバッテリ電力ステータスを検索するように構成されたロジックと、
前記電源オフ状態からの時間経過の近似値を求めるように構成されたロジックと、
前記電源オフ状態以来の前記バッテリ電力レベルの減衰の量であって、前記確定された時間経過の近似値によって決まる減衰の量を求めるように構成されたロジックと、
前記検索されたバッテリ電力ステータスと前記確定された減衰とによって決まる前記現バッテリ電力ステータスを求めるように構成されたロジックと、
前記現バッテリ電力ステータスを表示するディスプレイと、
を具備する装置。
【発明の詳細な説明】
【技術分野】
【０００１】
本発明は、携帯電子機器に関し、より詳細には、電源オフ状態で携帯電子機器のバッテリステータスおよび他のパラメータを表示するシステムおよび方法に関する。
【背景技術】
【０００２】
バッテリ電源で動作し、液晶ディスプレイ（ＬＣＤ）等、ユーザに情報を表示する何らかの種類の表示装置(visual display)を有する、多種多様の携帯電子機器がある。実体または動作情報に加えて、多くの携帯電子機器は、動作または制御設定等のいくつかの構成情報を表示することができる。デジタルカメラは、ユーザに情報（画像または視野情報に加えて）を表示するディスプレイを有する携帯電子機器の一例である。動作中、カメラは、メモリ内の画像の数、シャッタ設定、残りのバッテリ寿命およびユーザに興味のある可能性のある種々の他の設定等、種々の構成情報をユーザに表示することができる。
【発明の開示】
【発明が解決しようとする課題】
【０００３】
既知のように、この情報は、携帯電子機器が動作モードにある時に表示される。したがって、たとえば、機器が電源オフである時、この構成および他の情報はユーザに表示可能ではない。実際に、携帯電子機器が電源オフ状態にある場合、通常は、ディスプレイにはいかなる電源も投入されず（電力、したがってバッテリ寿命の節約を最大限にするため）、したがって、ディスプレイには何も表示されない。さらに、多くの携帯電子機器では、開始ルーチンを循環する（機器の電源をオンにした後）ために望ましくないほど長い時間が必要である。このため、ユーザが、予測されたバッテリ寿命かまたは目下電源オフとなっている機器の他のパラメータを知りたい場合、通常は、その情報を表示することができる前に望ましくないほど長い待ち時間がある。
【０００４】
機器の電源が遮断されている時にユーザがバッテリ寿命に関する情報を取得したいと望む特定の状況において、起動サイクルには通常、バッテリ電力ステータスが確定される時間が含まれる。既知のように、この確定には通常、バッテリに対して負荷を与えること、その負荷に対する電流および／または電圧応答を測定すること、とが含まれる。
【０００５】
したがって、電源オフ状態の場合であっても、ユーザにこの情報を迅速に表示することができる携帯電子機器を提供することが望まれる。
【課題を解決するための手段】
【０００６】
携帯電子機器が電源オフ状態である場合にも、機器のバッテリステータスおよび／または他のパラメータを迅速にかつ有効に表示するシステムおよび方法を提供する。一形態では、この発明は、電源オフ状態に応じて複数のユーザ定義可能設定を格納することにより、電源オフ状態で携帯電子機器のパラメータを表示する。さらに、この発明は、パーソナル電子機器の動作ロジックを電源オフ状態で維持しながら、ステータス入力の起動を検出し、それに応じてディスプレイに電源を投入し、格納されたパラメータのステータスをディスプレイに表示する。
【０００７】
本発明の別の形態は、携帯電子機器の電源オフ状態において現バッテリ電力ステータスを表示する方法を対象とする。この形態ではは、先に測定され格納されたバッテリ電力ステータスを検索し、電源オフ状態からの時間経過の量を求める。この形態ではまた、バッテリ電源ステータスが測定または保存されてからの前記バッテリ電力レベルの減衰の量であって、確定された時間経過の量によって決まる減衰の量を求める。最終的に、この形態は検索されたバッテリ電力ステータスと確定された減衰とによって決まる現バッテリ電力ステータスを確定し、現バッテリ電力ステータスを表示する。この形態によると、（バッテリー状態に加えて）他のパラメータもまた表示されてよい。
【０００８】
本明細書に組込まれその一部を形成する添付図面は、本発明のいくつかの態様を例示し、その説明とともに、本発明の原理を説明する役割を果たす。
【発明を実施するための最良の形態】
【０００９】
上に要約したように、本発明の実施形態は、携帯電子機器のための、機器が電源オフ状態にある間に機器のパラメータ（たとえば、バッテリ電力ステータス、構成設定等）を表示する方法および装置を対象とする。本発明の範囲および精神に従って、携帯電子機器は、デジタルカメラ、ビデオカメラ、携帯情報端末（ＰＤＡ）、携帯電話等を含む多種多様な機器のいずれであってもよい、ということを理解すべきである。実施形態では、パラメータを、手動入力（たとえば、ボタンを押下することによる）の起動に応じて表示する。
【００１０】
図１を参照する。図１は、デジタルカメラ１００として実施される本発明の例示的な実施形態を示す。カメラ１００を概略的に示し、本発明のいくつかの事項の例示を簡略化する目的で多くの事項および制御部を省略している。一実施形態では、カメラ１００は、ユーザがカメラ１００のあらゆる動作態様および他の態様を制御することを可能にする多種多様のユーザコントロール１０２を含んでもよい。一実施形態によれば、ステータスボタン１１２が設けられる。このステータスボタン１１２を押下することにより、カメラ１００は、ユーザに対して機器のあらゆるパラメータを表示することができる。これに関し、カメラ１００は、ユーザに情報を表示するディスプレイ１３０を含む。本発明に従って、ディスプレイ１３０は、液晶ディスプレイ（ＬＣＤ）、プラズマディスプレイ、有機発光ダイオード（ＯＬＥＤ）ディスプレイ等の種々のタイプのディスプレイのうちのいずれであってもよい。
【００１１】
既知のように、カメラ１００が従来の電源オフ状態にある場合、ディスプレイ１３０も同様に電源がオフされている。したがって、カメラが従来の電源オフ状態にある場合、ユーザに情報は表示されない。しかしながら、本明細書でさらに説明するように、ステータスボタン１１２の起動に応じて、ディスプレイ１３０と他の動作コンポーネントの限定されたセットとに対し動作電源が投入され、あらゆる動作パラメータの表示が可能になる。１つのかかるパラメータは、カメラ１００に電力を供給するために使用するバッテリの残りのまたは既存のバッテリ寿命である。本発明に従って、このバッテリ寿命またはバッテリ電力ステータスを、バッテリ寿命または充電のパーセンテージ（たとえば、６０％）を含む種々のフォーマットで、または代替的に、バッテリに残っている使用可能時間の量の近似値を表示することにより、表示してもよい。これに関し、バッテリに残っている使用可能時間の量の近似値を、数値的に提示してもグラフィカルに提示してもよい。当然ながら、バッテリ電力ステータスをバッテリに残っている時間に関して表示する場合、バッテリ寿命は使用次第で変化するため、かかる特徴付けはいずれも必然的に近似となる。たとえば、モータ式自動焦点レンズを有するカメラは、他の時間よりレンズ焦点合せの時間中により多くの電力を消費する。同様に、種々の他の動作が、他の動作より大きい電力消費を課す可能性がある。
【００１２】
この方法の一態様は、接続されたバッテリに残っている電力の量すなわち寿命の確定に関する。下により詳細に説明するように、本発明に従って、この確定を行うことができる種々の方法がある。概して、この確定を行うあらゆる方法には、（１）電源オフ状態（すなわち、カメラの電源が遮断されている時）と実質的に相応する時刻に測定されたバッテリ電力ステータス（または電源レベル）を格納すること、（２）ステータスボタン１１２の起動に応じてこの値を検索すること、（３）カメラ１００の電源が遮断されている間に発生した電力減衰の量の近似値を求めること、（４）保存された電力レベルから近似された電力減衰を減ずること、とが含まれる。本明細書に提示するさらなる論考からさらに理解されるように、現バッテリ電力ステータスの確定に関連してあらゆる代替態様および／または追加のステップを実行してもよい。
【００１３】
上述したように、本発明の一実施形態によれば、最後に測定された（かつ格納された）バッテリ電力ステータスイベントからある時間にわたって減衰したバッテリ内の電力またはエネルギの量に関して近似を行う。このバッテリ電力減衰は、バッテリのタイプと、バッテリが接続されるカメラ１００（または他の機器）のタイプと、によって決まる、ということが理解されよう。これに関し、バッテリ減衰はバッテリの自然減衰率と電源オフ状態にあるカメラの電力消費との両方の関数である。時間の経過とバッテリに残っているバッテリ寿命のパーセンテージとの関係は、図２の図に示すものに類似する指数関数である可能性がある。これに関し、図２は、特定の機器に接続された特定のモデルバッテリの例示的な減衰関数の曲線１４２を示す図１４０である。かかる減衰関数を、方程式によって計算するかまたは表現してもよく、あるいは、実験および測定された経験的データを通して導出してもよい。経験的データを通して導出する場合、曲線１４２を画定するデータ点を、カメラ１００（または他の機器）内のルックアップテーブルまたは他のメモリエリアに格納してもよい。曲線１４２を、数式によって画定する場合、その式を、検索および後の計算のためにメモリに格納してもよい。図２の曲線から分かるように、時間の経過に従ってバッテリのエネルギレベルが０に近づく。たとえば、バッテリステータスを最後に測定してから１００時間経過した（かつカメラがその時間を通して電源オフ状態であった）場合、バッテリに残っているエネルギの量は、バッテリにおいて最後に測定したエネルギの量によって決まる。
【００１４】
ここで、図３を参照する。図３は、本発明の一実施形態によって構成される携帯電子機器２００の例示的な実施形態のいくつかのコンポーネントを示すブロック図である。図１のカメラ１００に関して示したように、本発明の実施形態によって構成される携帯電子機器２００は、概して、ユーザからの種々の手動入力に対応するユーザコントロール２０２を含む。機器２００はまた、種々の機能または動作ロジックならびにコンポーネント２０４を含んでもよい。特定の機器２００によっては、これらのコンポーネントが、回路、ロジック、モータ（複数可）等の種々の動作コンポーネントを含んでもよい。機器２００はまた、ディスプレイ２３０とディスプレイ２３０を駆動する関連ロジック２３２とを含む。
【００１５】
上述した従来のコンポーネントに加えて、機器２００はまた、本発明のあらゆる実施形態に関連して利用する他のコンポーネントも含む。１つのかかるコンポーネント２１０は、バッテリの電源オフステータスを計算するロジックまたは回路を含む。図３に示すように、ユーザが機器２００に対してバッテリの現ステータスを含むあらゆるパラメータを計算し表示するよう命令することができるようにする、ステータスボタン２１２を設ける。上述したように、バッテリ電力ステータスを、電源オン状態中に先に計算し、後に検索するために格納する。バッテリに残っている電力またはエネルギレベルを測定する種々の装置が既知であり、したがって、このプロセスについて本明細書で説明する必要はない。概して、このプロセスは、バッテリ電力を負荷下で行う測定によって求めるというものである。このように、デジタルカメラの実施例では通常、たとえば光学レンズアセンブリのズームまたは焦点を調整するためにモータを駆動している時、バッテリに対して最も大きい負荷が与えられる。既知の機器では、ユーザがバッテリの現ステータスを確かめたい場合（機器の電源がオフである場合に）、ユーザは概して、機器の電源をオンにして機器がその電源オンプロセスを循環することができるようにする必要があり、それにはしばしば、バッテリ電力測定値を取得するために、レンズアセンブリを前進させるかまたは他の方法でバッテリに負荷を与えることが含まれる。これは、望ましくない時間を必要とするだけでなく、バッテリの残りの寿命をさらに低下させる。
【００１６】
したがって、本発明は、機器２００の標準（先の）動作中に測定されたバッテリ電力ステータスを格納し、その測定された値をメモリに格納することによって、これらおよび他の望ましくない事項を克服する。このおよび他のパラメータを、メモリ２１６に格納する。実施形態によれば、機器２００はまた、バッテリ電力ステータスを測定し格納した時刻を示すタイムスタンプまたは他の値も格納する。一実施形態では、この値を、機器２００の電源オフシーケンスに関連して測定してもよい。すなわち、ユーザが機器２００の電源スイッチをオフにするのに応じて、機器は、バッテリステータスを測定しそのステータスを保存してもよい。このように、格納された値は、電源オフ状態に入る時にバッテリステータスを反映する。
【００１７】
図３にはまた、格納されたパラメータ２１８にアクセスしバッテリステータス２２０を計算するコンポーネントも示す。バッテリステータスの計算に関するさらなる詳細については、図４に関して論考する。
【００１８】
しかしながら、図４を論考する前にまず、本発明の実施形態に関するさらなる詳細について説明する。これに関し、図３は、コンポーネントのいくつかのグループ化を含む。たとえば、第１のグループ２６０は、本発明の実施形態の種々の事項に関連するコンポーネントを含む。別のグループ２７０は、ディスプレイ２３０の回路およびロジックとディスプレイ２３２を駆動するロジックとを含む。コンポーネント２８０の第３のグループは、ユーザコントロール２０２と、各種機能および動作ロジックならびにコンポーネント２０３と、を含む。上述したように、本発明は、電源オフである間に機器のいくつかのパラメータの表示をユーザに提供する新規な方法および装置を対象とする。携帯電子機器で既知のように、電源オフの場合であっても、機器内のいくつかのコンポーネントは非常にわずかな電力を引出し続ける。たとえば、機器がタイマまたは時刻回路を含む場合、時刻および日付情報を保存することができるように、この回路に対する電力を維持する。同様に、いくつかの構成設定、動作ステータスまたは他の情報を格納するために使用するメモリコンポーネントにもまた、格納された値を維持するために電力が供給されたままである可能性がある。
【００１９】
しかしながら、電源オフ状態中に作動状態であり続けるこれらおよび他の装置において引出される電流は、極めてわずかであり、したがって、バッテリの期待寿命を大幅に短縮することはない。しかしながら、第２および第３のグループ２７０および２８０において示すもの等の他のコンポーネントは、機器２００が電源オフ状態にある場合にほとんどまたはまったく電力を引出さない。当然ながら、本明細書で説明するように、本発明の機能動作を実施するために、ディスプレイ２３０とディスプレイを駆動するロジック２３２とを含む第２のグループ２７０における装置には、電源オフ状態中であっても、動作させるために電力を供給しなければならない。しかしながら、機器２００内の他の機能および動作コンポーネントは、ステータスボタン２１２の起動に応じて表示されるパラメータの表示中に電源オフされたままである。一実施形態では、ステータスボタン２１２の起動に応じて、指定されたまたは所定の期間（たとえば、３秒間）、コンポーネント２７０に電源を投入してもよい。代替的に、ステータスボタン２１２が起動される期間（たとえば、ボタンが押下される間）これらのコンポーネント２７０に対して電源を投入してもよい。
【００２０】
このように、上述した論考にしたがってかつ本発明の一実施形態によれば、携帯電子機器２００に、機器２００が電源オフされている期間中にユーザがステータスボタン２１２を押下（すなわち起動）することを可能にするステータスボタン２１２を設けるすなわち装備することができる。ステータスボタンに応じて、機器２００は、格納されたパラメータ（機器２００の構成または動作パラメータ等）を検索しかつ／またはバッテリに残っている現エネルギまたは電力レベルを計算し、その情報を、機器２００内に設けられるディスプレイ２３０によってユーザに表示するように動作する。一実施形態では、このステータス表示シーケンス中、いくつかの動作コンポーネントは電源オフされたままであり、それによりバッテリに対するいかなる追加の電力引出しも最小化される。さらに、本明細書において説明する方法により、機器２００の電源オンサイクル期間を通して通常消費される時間を必要とすることなく、バッテリ電力ステータスおよび／または他のパラメータを迅速にユーザに表示する。
【００２１】
上述したように、本発明の一実施形態は、携帯電子機器に連結されるバッテリに残っている電力またはエネルギの量を迅速に近似する新規な方法または手法を提供する。この計算を、図３のロジックコンポーネント２２０によって概略的に示した。
【００２２】
ここで、図４を参照する。図４は、本発明のいくつかの実施形態による、このロジックコンポーネント２２０の実施態様に関してのさらなる詳細を示すブロック図である。図４に示すように、バッテリステータスを計算する装置２２０は、機器２００の正常動作中と、好ましくは電源遮断イベントまたはシーケンス時またはその直前と、に保存されるパラメータおよび設定にアクセスするロジックを含む。一実施形態では、先に保存されたパラメータは、測定されたバッテリ電力またはエネルギレベル、タイムスタンプとともに、機器によって大きく異なる可能性のある種々の動作設定または構成設定を含んでもよい。装置２２０はまた、現在時刻（たとえば、時刻回路）にアクセスするかまたはそれを求めるロジック２２２をも含む。また、現バッテリ電力レベルまたはバッテリの残りの推定寿命を他のパラメータとともに表示するロジック２２３を設けてもよい。上述したように、このロジックコンポーネント２２３は、機器の電源オフ状態中に、制限された方法で、ディスプレイおよび他のコンポーネントに電源を投入するために必要な回路またはロジックを含んでもよい。
【００２３】
別のコンポーネント２２４は、電源遮断イベントからのまたはパラメータが先に格納されたイベントからの時間の経過を求めるロジックを含む。この要素を異なる方法で実現してもよい、ということを理解すべきである。たとえば、パラメータが先に格納された時に保存されたタイムスタンプが、時刻クロックからのタイムスタンプである場合、時間の経過を、単にそのタイムスタンプを現在時刻の対応するタイムスタンプから減じることによって確定してもよい。代替的に、タイマを単に、パラメータが測定され格納される時刻にリセットしてもよく、そのタイマの値を測定するかまたは読取ることによって時間の経過を求めることができるように、そのタイマをその後（電源オフ状態中に）インクリメントするかまたは実行することができる。
【００２４】
また、先に保存された電力レベルとロジック２２４によって確定される時間にわたって発生した減衰の近似値とに基づいて、現バッテリ電力レベルまたは残りのバッテリ寿命を求めるロジック２２５を設けてもよい。上述したように、この減衰には、バッテリの自然減衰と、電源オフ状態の場合の機器の電源引出しからの減衰と、がともに含まれる。さらに、ロジック２２５は、現バッテリ電力レベルに影響を与える可能性のある他の介入イベントを考慮に入れてもよい。単なる１つの実施例として、ユーザがステータスボタン２１２を押下し、機器がパラメータを表示するためにディスプレイに電源を投入する度に、バッテリに対しさらなる引出しが行われる。一実施形態では、これ等のイベントのログを記録し、それをバッテリ電力ステータス計算において考慮してもよい。
【００２５】
現バッテリ電力ステータスを求めるロジック２４５に関連して、装置２２０は、先に（好ましくは電源遮断状態時またはその近くで）保存したバッテリ電力ステータスまたは推定寿命にアクセスするコンポーネント２２６を含んでもよい。特に経験的データを使用してバッテリ減衰を推定しまたは近似する実施形態では、この計算を実施する１つまたは複数のルックアップテーブル２２７をメモリに設けてもよい。他の実施形態では、電力減衰関数曲線（図２に示すもの等）を画定する式をメモリ（またはルックアップテーブル）に保存してもよい。現バッテリ電力レベルを、主に、先に格納したバッテリ電力レベルと確定した時間の経過（先に格納したバッテリ電力レベルの測定以来）とを使用することによって確定してもよい。実施形態によっては、ロジック２２５はまた、追加のバッテリ消費イベントを識別し測定するロジック２２８と協同して動作してもよい。
【００２６】
本発明の一実施形態によれば、装置は、機器に接続されるバッテリの現ステータスレベルを（追加の測定なしに）求める、ということを理解すべきである。この確定を、主に、先に測定し格納したバッテリ電力レベルを検索し、そのレベルから、測定が行われまたは格納されてから発生した使用または減衰の量を減じることにより、行う。この概略的な特徴に従い、この概略的な態様を実施するために種々の異なるおよび特定の代替態様を実施してもよい。
【００２７】
ここで図５を参照する。図５は、本発明の一実施形態の最上位機能動作を示すフローチャートである。上述したように、本発明の一実施形態は、携帯電子機器に接続されるバッテリに対し現バッテリ電力レベルを計算する一意の方法を対象とする。この発明の実施形態によれば、本方法を、先に保存したバッテリ電力ステータスを検索することによって実施する（ステップ３０２）。また、本方法は、バッテリ電力を測定し格納してからの時間経過の量も求める（ステップ３０４）。好ましくは、バッテリ電力の測定および格納は、機器の電源遮断状態においてまたは実質的に相応して発生する。そして、本方法は、バッテリ電力が測定されてからのバッテリ電力レベルの減衰の量を求める（ステップ３０６）。本方法は、現バッテリ電力ステータスを計算する際にこの減衰の確定値を使用する（ステップ３０８）。上述したように、ステップ３０８には、先のバッテリ電力測定以来発生した追加の電力引出しイベントを含む、現バッテリ電力ステータスを求める他の要因が含まれてもよい。１つのかかるイベントは、電源オフ状態におけるバッテリ電力の確定および表示であってもよい。別のかかるイベントは、バッテリ電力測定および格納後に発生する正常（電源オン）動作を含んでもよい。最後に、本方法は、ユーザに対して確定した現バッテリ電力ステータスを表示する（ステップ３１０）。
【００２８】
ここで図６を参照する。図６は、本発明の別の実施形態の最上位動作を示すフローチャートである。上述したように、正常（電源オン）動作中に、携帯機器のバッテリの電力レベルを周期的に計算して格納する。一実施形態では、この計算を、機器の電源をオフする信号送信状態に応じて実行する。すなわち、機器は、ユーザが機器に対して電源をオフしたことを検出した時、および動作コンポーネントから電力を取除く前に、現バッテリ電力レベルを測定して格納する。このため、この実施形態によれば、方法は、機器に対する電源を遮断する命令を検出する（ステップ３５２）。それに応じて、本方法は、バッテリ電力ステータスおよび／または他のパラメータを格納する（ステップ３５４）。このステップに関連して、方法は、最後に計算したバッテリ電力レベルを格納してもよく、あるいは代替的に、適当な計算を実行して現バッテリ電力レベルを確定してもよい。その後、本方法は、機器が電源オフ状態にある間、ステータスチェック入力の起動を待機する（ステップ３５６）以外は本質的に何も行わない。ユーザがステータスチェックの実行を要求すると、本方法は格納されたバッテリ電力ステータスを検索し（ステップ３５８）、先に測定されたバッテリ電力ステータスが格納されてから発生した減衰に部分的に基づいて、現バッテリ電力ステータスを計算する（ステップ３６０）。その後、本方法は、機器の他の動作ロジックを電源オフ状態に維持しながら、ディスプレイに電源を投入し（ステップ３６２）、ディスプレイに現バッテリ電力ステータスを表示する（ステップ３６４）。当然ながら、本発明の範囲および精神にしたがって、ステータスチェック入力の起動に応じて他の機器パラメータを同様に表示してもよい。
【図面の簡単な説明】
【００２９】
【図１】デジタルカメラの、カメラが電源オフ状態にある間にパラメータの表示を促すために起動することができるステータスボタンを含む、いくつかの物理コンポーネントを示す実施形態の図である。
【図２】長期にわたるバッテリ電力の例示的な減衰関数の曲線の図である。
【図３】本発明の一実施形態によって構成される携帯電子機器のいくつかのコンポーネントのブロック図である。
【図４】本発明の一実施形態によって構成される携帯電子機器のいくつかのコンポーネントのブロック図である。
【図５】本発明の一実施形態の最上位機能動作を示すフローチャートである。
【図６】本発明の一実施形態の最上位機能動作を示すフローチャートである。
【符号の説明】
【００３０】
１０２  ユーザコントロール
１３０  ディスプレイ
２００  携帯電子機器
２０２  従来のユーザコントロール
２０４  機能／動作ロジックおよびコンポーネント
２１０  電源オフステータス
２１２  ステータスボタン
２１４  タイマ
２１６  格納されたパラメータ
２１８  格納されたパラメータにアクセス
２２０  バッテリステータスを計算
２２３  ディスプレイ
２３２  ディスプレイを駆動するロジック
【図１】
2004326778.tif 000003
【図２】
2004326778.tif 000004
【図３】
2004326778.tif 000005
【図４】
2004326778.tif 000006
【図５】
2004326778.tif 000007
【図６】
2004326778.tif 000008